(57)【要約】【課題】  外部電極蛍光管（ＥＥＦＬ）を点灯する従来の方法には以下の欠点がある。すなわち１．高圧（１０００Ｖ程度）、交流（５０ｋＨｚ程度）を蛍光管の外部電極に印加するが、蛍光管の着脱の便を確保して感電対策を立てることは困難である。２．回路基板上に昇圧トランスがあり、不用意に触れば感電する。３．水中照明として使用するには感電など問題がある。【解決手段】  本発明はかかる課題に鑑みなされたものであって、以下の構成によって上記課題を解決する。１．感電の危険性がある高圧部分をプラスチックまたはガラスの容器に収納し、人間の手が触れる機会を与えない。２．昇圧トランスを一次側、二次側に分割し、低電圧の一次側トランスを電源側コネクタに、高電圧の二次側トランスを照明側コネクタに収納する。３．蛍光灯への給電は交番磁界の形で磁気コネクタを介して行う。４．水中照明用には容器の密閉と信頼性あるねじ込みコネクタなどを用いる。【選択図】        図３
2006286584.tif 000002
【特許請求の範囲】
【請求項１】
外部電極蛍光管（Ｅｘｔｅｒｎａｌ  Ｅｌｅｃｔｒｏｄｅ  Ｆｌｕｏｒｅｓｃｅｎｔ  Ｌａｍｐ、以後ＥＥＦＬと表記。）を任意本数使用し、分割トランスの２次コイルに結線し、プラスチックまたはガラスの容器の中に納め、一体化した蛍光照明装置。
【請求項２】
外部電極放電管（ＥＥＦＬと同一構造で石英ガラスを使用し、蛍光体を塗布していないもの）を任意本数使用し、分割トランスの２次コイルに結線し、内部に蛍光体を塗布したプラスチックまたはガラスの容器の中に納め、一体化した蛍光照明装置。
【請求項３】
フェライトをコア材とする昇圧トランスに於いて、１次側と２次側を分離して分割トランスを形成し、コア部分を露出・密着させて給電・昇圧するトランス内蔵コネクタを用いた請求項１および請求項２の蛍光照明装置。
【請求項４】
外側のプラスチックまたはガラスの容器端部または裏面に２次側分割トランス内蔵コネクタを設けた請求項１および請求項２の蛍光照明装置。
【請求項５】
外側のプラスチックまたはガラスの容器に開閉機構を設け、保守の便を図った請求項１および請求項２の蛍光照明装置。
【請求項６】
外側のプラスチックまたはガラスの容器を気密構造にし、水中での使用を可能にした請求項１および請求項２の蛍光照明装置。
【発明の詳細な説明】
【発明の詳細な説明】
【技術分野】
【０００１】  本発明は分割型昇圧トランスの２次側トランスを内蔵する蛍光照明装置に関する。
【背景技術】
【０００２】  ＥＥＦＬを点灯する場合、トランスにより昇圧した高圧交流を蛍光管の外部電極に印加するが、多くの場合電極はむき出しである。
【発明が解決しようとする課題】
【０００３】  ＥＥＦＬを点灯する従来の方法には以下の欠点がある。すなわち
１．高圧（１０００Ｖ程度）、交流（５０ｋＨｚ程度）を蛍光管の外部電極に印加するが、
蛍光管の着脱の便を確保して感電対策を立てることは困難である。
２．回路基板上に昇圧トランスがあり、不用意に触れば感電する。
３．水中照明として使用するには問題が多い。
【課題を解決するための手段】
【０００４】  本発明はかかる課題に鑑みなされたものであって、以下の構成によって上記課題を解決する。
１．感電の危険性がある高圧部分をプラスチックまたはガラスの容器に収納し、人間の手が触れる機会を与えない。
２．昇圧トランスを一次側、二次側に分割し、低電圧の一次側トランスを電源側コネクタに、高電圧の二次側トランスを照明側コネクタに収納する。
３．蛍光灯への給電は交番磁界の形で磁気コネクタを介して行う。
【発明を実施するための最良の形態】
【０００５】図１に本発明の構造の一例を示す。本発明はほぼ同一構造で２種類に分かれる。すなわち光源として一般のＥＥＦＬ（外部電極蛍光管）を使用する場合と、外部電極放電管（ＥＥＦＬと同一構造で管内壁に蛍光体を塗布していないもの）を使用する場合である。ＥＥＦＬを使用する場合は保護および化粧用のプラスチックまたはガラスの外筐を被せて完成品とする。外部電極放電管を用いる場合は放射する紫外線を可視光に変える工夫が必要である。即ち外部電極放電管内部では水銀蒸気が放電によって励起され紫外線が生成される。この紫外線でプラスチックまたはガラスの外筐内面（２）に塗布した蛍光体を励起し可視光に変える。なおプラスチックを使用する場合は耐紫外線性の良い物を使用すべきである。複数のＥＥＦＬまたは外部電極放電管を多数並行に並べる場合、管両端の外部電極（５）を電極板（４）に取り付けることが管の固定法として便利である。両端の電極板はそれぞれコネクタ部分の二次トランスに結線される。二次トランスは一次トランスと密着、磁気結合すると、昇圧トランスとなり、ＥＥＦＬまたは外部電極放電管の電極に必要電圧（１０００Ｖ程度）を印加する事ができる。【０００６】図２に磁気コネクタの結合構造の一例を示す。
電源側コネクタはフェライトコア材を用いた一次トランス、照明側コネクタは同じくフェライトコア材を用いた二次トランスで、両者を密着させたとき昇圧トランスを形成する。一次側、二次側のフェライトは接触面が密着するよう加工される。また各コイルはプラスチックなどの充填材で保護される。両者は着脱の容易さと結合の確実性を考慮して構造が決定される。図２に示す構造は応力が加わると簡単に外れるので、外筐保持金具との併用が望ましい。【０００７】図３は水中照明にも使用できるように考慮された構造の一例である。即ち水圧に対し外筐の変形がなく、管内に水が浸入しないよう密閉されている。磁気結合は円筒型フェライトコアを用い、白熱電灯と同様なねじ込み式結合方式を採用している。５０ｋＨｚ程度の高周波送電で感電による死亡事故は報告がないが、高熱発生に伴うやけどは考えられる。本考案では１２Ｖ程度の低電圧に抑えることによってやけどの危険も解消する。ちなみに人間の抵抗値Ｒを５００Ωとすると発生電力はＷ＝Ｖ２／Ｒから０．３Ｗでしかない。【０００８】外部電極放電管は紫外線（２５４ｎｍ）の透過率を考慮して石英ガラス製を使用する。図４に一般ガラス管（ａ）と石英ガラス管（ｂ）の分光透過率曲線を示す。水銀入り放電管が発する蛍光体励起紫外線の主波長は２５４ｎｍであるから、この波長をａの一般ガラス管はほとんど透過せず、ｂの石英ガラス管は良く透過することが分かる。
【発明の効果】
本発明は以下の効果を生み出す。
１．高圧部分を容器に収納したので感電の機会がない。
２．低圧送電と磁気コネクタおよび気密構造のプラスチックまたはガラス容器の採用により水中照明に道を開く。
３．特に図３の構造を持つものは水中での電球交換が可能である。
４．ＥＥＦＬまたは外部電極放電管は細く壊れやすいので注意が必要だが、プラスチックまたはガラスの容器がその保護に役立つ。
５．照明器具として形状の自由度が大きい。
６．外筐の内惻に蛍光体を塗布する場合は蛍光体の回収に道を開く。
【図面の簡単な説明】
【図１】磁気結合型照明装置の構造図
【図２】磁気コネクタの構造の一例を示す図
【図３】密閉・ねじ込み磁気結合式照明装置の構造図
【図４】一般ガラス管と石英ガラス管の分光透過率曲線
【符号の説明】
Ａ．磁気結合型照明装置
Ｂ．電源側コネクタ
Ｃ．照明側コネクタ
１．外筐
２．外筐内面
３．外部電極放電管
４．電極板
５．外部電極
６．磁気コネクタ
７．配線
８．フェライトコア
９．フック
１０．金属バネ
１１．一次コイル
１２．二次コイル
１３．充填材
１４．プラスチック筐体
１５．ねじ
１６．プラスチックねじ
ａ．一般ガラス管
ｂ．石英ガラス管
【図１】
2006286584.tif 000003
【図２】
2006286584.tif 000004
【図３】
2006286584.tif 000005
【図４】
2006286584.tif 000006